(57)【要約】【課題】支持脚に設けられるステップの位置調整作業を容易に行なうことができる釣台を提供する。【解決手段】本発明の釣台は、着座部を設置領域に対して支持するための複数の支持脚４を備え、支持脚４の少なくとも一部には、着座部に着座する着座者の足を載せるためのステップ６が設けられる。ステップ６は、支持脚４に移動可能に保持される保持体６Ａと、着座者の足が載置される足載置台６Ｂとを有する。保持体６Ａは、支持脚４に対して傾動可能且つ移動可能な状態で付勢手段１８により弾性的に保持されるとともに、足載置台６Ｂを介して付勢手段１８の付勢力に抗する外力が作用されると、それ自体が傾動することによって支持脚４に対向するその係止端部５０が支持脚４と係止して支持脚４に対する移動が阻止される。【選択図】  図６
2018161062.tif 000002
【特許請求の範囲】
【請求項１】
着座するための着座部と、この着座部を設置領域に対して支持するための複数の支持脚とを備え、前記支持脚の少なくとも一部には、前記着座部に着座する着座者の足を載せるためのステップが設けられる釣台であって、
前記ステップは、前記支持脚に移動可能に保持される保持体と、この保持体から延在するとともに着座者の足が載置される足載置台とを有し、
前記保持体は、前記支持脚に対して傾動可能且つ移動可能な状態で付勢手段により弾性的に保持されるとともに、前記足載置台を介して前記付勢手段の付勢力に抗する外力が作用されると、それ自体が傾動することによって前記支持脚に対向するその係止端部が前記支持脚と係止して支持脚に対する移動が阻止されることを特徴とする釣台。
【請求項２】
前記保持体が前記支持脚は挟んで対向する一対の保持半体を有し、これらの保持半体は、互いに締結部材により締結されて前記付勢手段により前記締結部材に沿って接近・離反可能に付勢されることによって前記支持脚を弾性的に挟持することを特徴とする請求項１に記載の釣台。
【請求項３】
前記締結部材は、前記保持半体の一方に螺着されるとともに前記保持半体の他方を移動可能に支持する螺軸と、この螺軸に螺合されるナットとを含み、前記保持体は、前記螺軸と前記他方の保持半体との間に形成される隙間によって前記支持脚に対して傾動できることを特徴とする請求項２に記載の釣台。
【請求項４】
前記付勢手段は、前記保持半体と前記ナットとの間で前記螺軸により支持されることを特徴とする請求項３に記載の釣台。
【請求項５】
前記付勢手段は、前記保持半体同士の間で前記螺軸により支持されることを特徴とする請求項３に記載の釣台。
【請求項６】
前記付勢手段が圧縮バネであることを特徴とする請求項１から５のいずれか一項に記載の釣台。
【請求項７】
前記保持体の前記係止端部が係止するための係止溝が前記支持脚の外周面に形成されることを特徴とする請求項１から６のいずれか一項に記載の釣台。
【請求項８】
前記足載置台が前記保持体に対して回動可能に取り付けられることを特徴とする請求項１から７のいずれか一項に記載の釣台。
【発明の詳細な説明】
【技術分野】
【０００１】
本発明は、へら鮒釣り等において着座して釣りを行なえるようにするための釣台に関し、特に、実釣時に着座する釣人が足を載せることができるステップを着座部の支持脚に備えて成る釣台に関する。
【背景技術】
【０００２】
従来から、へら鮒釣りなどにおいては、水辺に設置されて長時間にわたって着座姿勢で釣りを行なうことができるようにする釣台が広く知られている。このような釣台は、一般に折り畳んで収納できるようになっているとともに、釣人が着座できる着座部と、この着座部を地面に対して支持するための複数の支持脚とを備える。また、支持脚の少なくとも一部は、着座部から接地部までの長さを調整できるようになっている。
【０００３】
そして、このような釣台を用いて釣りを行なう際には、支持脚を着座部の例えば四隅に固定することにより組み立てられた釣台を水辺に設置して、支持脚の長さを水中又は水縁の接地面の傾斜に合わせて調整する。そして、着座部の上に正座又は胡座で座って或いは着座部を跨ぐように座って釣りを行なう。この場合、特に、着座部を跨ぐように座る際に足を楽な姿勢で支えることができるように、釣人の足を載せて支持するためのステップが支持脚に設けられる場合もある（例えば、特許文献１参照）。
【先行技術文献】
【特許文献】
【０００４】
【特許文献１】実公平３−２１５２号公報
【発明の概要】
【発明が解決しようとする課題】
【０００５】
ところで、支持脚にステップを備える従来の釣台では、ステップが蝶ネジによって支持脚に固定されており、したがって、支持脚に対するステップの位置を変えるためには、その蝶ネジを緩めてステップを支持脚に対して所望の位置へ移動させ、その位置で再び蝶ネジを締め付けてステップを固定しなければならない。
【０００６】
そのため、このステップの位置変更（例えば、支持脚に対するステップの上下の微妙な調整など）を実釣中に行なう必要がある場合、着座部に座っている釣人は、その都度、釣台から降りて、蝶ネジの緩め、ステップの移動、及び、蝶ネジの締め付けといった前述の一連の作業を行なわなければならない。
【０００７】
つまり、支持脚にステップを備える従来の釣台では、そのステップの位置調整作業に手間と時間がかかり、支持脚の一部が水中に位置している場合など、釣台の設置位置によっては、その調整作業が困難になる場合もある。
【０００８】
本発明は、上記した問題に着目してなされたものであり、支持脚に設けられるステップの位置調整作業を容易に行なうことができる釣台を提供することを目的とする。
【課題を解決するための手段】
【０００９】
上記した課題を解決するために、本発明は、着座するための着座部と、この着座部を設置領域に対して支持するための複数の支持脚とを備え、前記支持脚の少なくとも一部には、前記着座部に着座する着座者の足を載せるためのステップが設けられる釣台であって、前記ステップは、前記支持脚に移動可能に保持される保持体と、この保持体から延在するとともに着座者の足が載置される足載置台とを有し、前記保持体は、前記支持脚に対して傾動可能且つ移動可能な状態で付勢手段により弾性的に保持されるとともに、前記足載置台を介して前記付勢手段の付勢力に抗する外力が作用されると、それ自体が傾動することによって前記支持脚に対向するその係止端部が前記支持脚と係止して支持脚に対する移動が阻止されることを特徴とする。
【００１０】
上記構成によれば、足載置台上に足を載せるなどして、足載置台を介して前記付勢手段の付勢力に抗する外力を作用させると、保持体が傾動することによって、支持脚に対向する保持体の係止端部が支持脚と係止して、支持脚に対する保持体の移動が阻止される。そのため、着座部に着座する着座者の足を足載置台によって安定的に支持することができる。すなわち、上記構成によれば、足載置台上に足を載せている限りにおいて、保持体が支持脚に対して移動してしまうことがない。したがって、上記構成においては、足載置台上に足を載置する際にステップに作用する一般的な荷重（付勢手段の付勢力に抗する外力）よりも付勢手段の付勢力が小さく設定されていることが好ましい。
【００１１】
また、上記構成では、足載置台から足を離すなどして、足載置台を介して付勢手段の付勢力に抗する外力を作用させないようにすれば、保持体は、支持脚に対して移動可能な状態で付勢手段により弾性的に（ステップの自重では落ちないように）保持されているにすぎないため、保持体を支持脚に沿って引き上げたり押し下げたりすることにより、支持脚に対するステップの位置を容易に変えることができる。
【００１２】
すなわち、上記構成の釣台によれば、着座部に着座する着座者は、実釣中に着座したままであっても、例えば自分の足で保持体を支持脚に沿って引き上げたり押し下げたりすることにより、支持脚に対するステップの位置を容易に変えることができるため、ステップ位置調整作業に手間と時間がかからず、また、支持脚の一部が水中に位置している場合など釣台の設置状況が悪い場合でさえ、その位置調整作業を問題なく容易に行なうことができる。
【発明の効果】
【００１３】
本発明によれば、支持脚に設けられるステップの位置調整作業を容易に行なうことができる釣台が得られる。
【図面の簡単な説明】
【００１４】
【図１】本発明の一実施形態に係る釣台の概略斜視図である。
【図２】（ａ）は図１の釣台の支持脚及び該支持脚に取り付けられたステップの要部拡大斜視図、（ｂ）は、断面で示される支持脚に取り付けられたステップの平面図、（ｃ）は（ａ）のＡ−Ａ線に沿う断面図（保持体傾動時）である。
【図３】支持脚を仮想線で示すステップそれ単体の斜視図である。
【図４】（ａ）は図２の（ａ）のＡ−Ａ線に沿う断面図（保持体非傾動時）、（ｂ）はステップの変形例に係る（ａ）に対応する断面図である。
【図５】（ａ）は張り出し位置にある足載置台の図４に対応する断面図、（ｂ）は張り出し位置から回動された格納位置にある足載置台の図４に対応する断面図である。
【図６】（ａ）は足載置台に外力が作用していない（足載置台が傾動していない）状態の図４に対応する断面図、（ｂ）は足載置台に外力Ｆを作用させようとしている（足載置台が傾動していない）状態の図４に対応する断面図、（ｃ）は足載置台に外力Ｆを作用させた（足載置台が傾動した）状態の図４に対応する断面図である。
【図７】（ａ）（ｂ）は、係止溝を支持脚に設けた変形例に係る図２の（ａ）（ｂ）に対応する図である。
【発明を実施するための形態】
【００１５】
以下、図１〜図６を参照して本発明の一実施形態に係る釣台について説明する。
図１に示されるように、本実施形態の釣台１は、釣人等の着座者が着座するための着座部２と、この着座部２を設置領域（例えば、釣り場の水平な地面や水辺の傾斜領域など）に対して支持するための複数の支持脚４とを備える。この場合、着座部２は、例えば水平な板状に形成されており、好ましくは折り畳むことができる（図では、中央の折り返し部６０で２つに折り畳んで重ねることができる）ようになっている。また、各支持脚４は、例えば着座部２の四隅にそれぞれ着脱自在に取り付けられるようになっており、支持脚４の少なくとも一部は、その長さを変えることができるように例えば伸縮自在に構成される。また、釣台１は、全体として、支持脚４を例えば着座部２に収納するなどしてコンパクトな形態に格納され、容易に持ち運ぶことができるようになっている。なお、本実施形態において、支持脚４の数、着座部２の形状等は、図示の形態に限定されず、任意に設定可能である。
【００１６】
このような釣台１を用いて釣りを行なう際には、支持脚４を着座部４の例えば四隅に固定することにより組み立てられた釣台１を水辺に設置して、支持脚４の長さを例えば水中又は水縁の接地面の傾斜に合わせて調整する。そして、着座部２の上に正座又は胡座で座って或いは着座部を跨ぐように座って釣りを行なう。この場合、特に着座部２を跨ぐように座る際に足を楽な姿勢で支えることができるように、本実施形態の釣台１には、支持脚４の少なくとも一部（本実施形態では、前方の２本の支持脚４）に、釣人の足を載せて支持するためのステップ６が着脱自在に設けられる。
【００１７】
図２、図３、及び、図４の（ａ）に明確に示されるように、着座部２に着座する着座者の足を載せるためのステップ６は、支持脚４に移動可能に保持される保持体６Ａと、この保持体６Ａから例えば水平に延在するとともに着座者の足がその上に載置される足載置台６Ｂとを有する。この場合、足載置台６Ｂは、着座部２に座る着座者が快適な状態で自分の足を載置できるように、十分な面積の水平な載置面６Ｂａを有するとともに、支持脚４に対するその位置を自在に調整できるようになっており、好ましくは、図示のように回動軸４０を介して保持体６Ａに対して回動可能に取り付けられる（図５の（ｂ）に示されるように、支持脚４と略平行に並ぶ折り畳み格納位置へと上方（又は下方）へ回動できるようになっている）。
【００１８】
一方、保持体６Ａは、支持脚４に対して傾動可能（図２の（ｃ）及び図６の（ｃ）参照）且つ支持脚４に沿って上下に移動可能な状態で、付勢手段１８により支持脚４に対して所定位置に弾性的に保持される。具体的には、本実施形態において、保持体６Ａは、支持脚４は挟んで対向する一対の保持半体８，１０を有し、これらの保持半体８，１０は、互いに締結部材１２，１４により締結されるとともに付勢手段１８により締結部材１４に沿って接近・離反可能に付勢されることによって、支持脚４を弾性的に挟持するようになっている。
【００１９】
より具体的には、本実施形態において、保持半体８，１０は、横断面が略半円を成すＵ形状の形態を成しており、その両側にそれぞれフランジ８ａ，１０ａを有する。そして、保持半体８，１０は、それらのフランジ８ａ，１０ａを利用して締結部材１２，１４により互いに連結される。ここで、締結部材１２，１４は、外周面にネジ（雄ネジ）が形成される螺軸１４と、この螺軸１４に螺合されるナット（例えば蝶ナット）１２とを含み、螺軸１４は、保持半体８，１０の一方（図では、足載置台６Ｂが回動可能に取り付けられる第２の保持半体１０）のフランジ１０ａの貫通ネジ穴（雌ネジ）１０ａに螺着されるとともに、保持半体８，１０の他方（図では、支持脚４を挟んで第２の保持半体１０と対向する第１の保持半体８）のフランジ８ａの貫通穴８ａａに挿通されることにより第１の保持半体８を移動可能に支持する。なお、支持脚４に対する保持体６Ａの傾動を可能にするために、保持体６Ａは、螺軸１４と第１の保持半体８の貫通穴８ａａとの間に隙間３０を有する。
【００２０】
また、本実施形態において、付勢手段１８は、螺旋状の圧縮バネとして形成されており、第１の保持半体８のフランジ８ａとナット１２との間で螺軸１４により圧縮状態で支持されて（螺軸１４の周囲に巻回される）、保持半体８，１０同士を互いに近づける方向（保持半体８，１０を支持脚４に押し付ける方向）で付勢する。ここで、付勢手段１８は、保持体６Ａを支持脚４に対して所定位置に保持しつつ支持脚４に沿う方向で所定の移動力Ｆ’（図５の（ｂ）参照）が加えられた際に保持体６Ａが支持脚４に沿って（図５の（ｂ）に矢印で示される上下方向に沿って）移動できるようにする付勢力（バネ力）を伴って第１の保持半体８のフランジ８ａとナット１２との間に介挿される。
【００２１】
また、本実施形態において、保持体６Ａは、前述した隙間３０の存在に起因して、図６の（ｃ）に示されるように足載置台６Ｂを介して付勢手段１８の付勢力に抗する外力Ｆ（例えば、着座者の足の踏力）が作用されると、てこの原理にしたがってそれ自体が傾動することによって支持脚４に対向するその係止端部（第２の保持半体１０の下側周端縁）５０が支持脚４と係止し、支持脚４に対する移動が阻止されるようになっている。そのため、本実施形態では、例えば、足載置台６Ｂ上に足を載置する際にステップ６に作用する一般的な荷重（付勢手段の付勢力に抗する外力Ｆ）よりも付勢手段１８の付勢力が小さく設定されている。
【００２２】
なお、本実施形態において、締結部材を構成する螺軸１４は、第２の保持半体１０に螺合された状態で第１の保持半体８を移動可能に支持しているが、その逆の形態、すなわち、第１の保持半体８に螺合された状態で第２の保持半体１０を移動可能に支持してもよい。その場合には、例えば、隙間３０が第２の保持半体１０側に設けられる。
【００２３】
また、本実施形態では、ナット１２を螺軸１４に締め付けて保持半体８，１０同士を締結する際にこれらの締結部材同士１２，１４が供回りしないように螺軸１４が保持半体８，１０の一方に螺着されるが、螺着されていなくても構わない。その場合、隙間３０は、保持半体８，１０のいずれに設けられてもよく或いは両方に設けられてもよい。
【００２４】
また、本実施形態において、付勢手段としての圧縮バネ１８は、第１の保持半体８のフランジ８ａとナット１２との間で螺軸１４により圧縮状態で支持されているが、図４の（ｂ）に示されるように、保持半体８，１０同士の間で螺軸１４により支持されてもよい。この場合、圧縮バネ１８は、その両端がそれぞれの保持半体８，１０に固定されて、保持半体８，１０同士を引き寄せる方向に付勢する。
【００２５】
以上説明した構成によれば、図６の（ａ）に示されるように足載置台６Ｂに外力が作用していない無負荷状態から、足載置台６Ｂ上に足を載せるなどして、図６の（ｂ）に示されるように足載置台６Ｂを介して付勢手段１８の付勢力に抗する外力Ｆを作用させると、隙間３０の存在に起因して図６の（ｃ）に示されるように保持体６Ａが傾動し（したがって、保持半体８，１０同士が離間されて付勢手段（圧縮バネ）１８が更に圧縮し）、それにより、支持脚４に対向する保持体６Ａの係止端部５０が支持脚４と係止して、支持脚４に対する保持体６Ａの移動が阻止される。
【００２６】
このように、保持体６Ａの係止端部５０が支持脚４と係止して、支持脚４に対する保持体６Ａの移動が阻止されれば、着座部２に着座する着座者の足を足載置台６Ｂによって安定的に支持することができる。すなわち、本実施形態の釣台１の構成によれば、足載置台６Ｂ上に足を載せている限りにおいて、保持体６Ａが支持脚４に対して移動してしまうことがない。
【００２７】
一方、足載置台６Ｂから足を離すなどして、足載置台６Ｂを介して付勢手段１８の付勢力に抗する外力Ｆを作用させないようにすれば、保持体６Ａは、図５の（ａ）及び図６の（ａ）に示されるように支持脚４に対して移動可能な状態で付勢手段１８により弾性的に（ステップ６の自重では落ちないように）保持されているにすぎないため、保持体６Ａを支持脚４に沿って引き上げたり押し下げたりすることにより、支持脚４に対するステップ６の位置を容易に変えることができる。この場合、支持脚４により近い場所で移動力Ｆ’を上下に作用させれば保持体６Ａを容易に上下させることができるため、例えば図５の（ｂ）に示されるように足載置台６Ｂを折り畳んだ状態で足載置台６Ｂに上向き又は下向きの移動力Ｆ’を作用させることが好ましい。また、足載置台６Ｂに外力Ｆが作用していない図５の（ａ）及び図６の（ａ）に示される無負荷状態では、ステップ６の支持脚４に対する角度を３６０°にわたって自由に変更できる。
【００２８】
以上のように、本実施形態の釣台１によれば、着座部２に着座する着座者（釣人）は、実釣中に着座したままであっても、例えば自分の足で保持体６Ａを支持脚４に沿って引き上げたり押し下げたりすることにより、支持脚４に対するステップ６の位置を容易に変えることができるため、ステップ位置調整作業に手間と時間がかからず、また、支持脚４の一部が水中に位置している場合など釣台１の設置状況が悪い場合でさえ、その位置調整作業を問題なく容易に行なうことができる。
【００２９】
図７には、以上説明した実施形態の変形例が示される。この変形例では、保持体６Ａが傾動して支持脚４に係止する前述した保持体６Ａの傾動係止形態において、保持体６Ａの第２の保持半体１０の係止端部５０（図２及び図６の（ｃ）参照）が係止するための係止溝２０が支持脚４の外周面に形成されている。この場合、係止溝２０は、細かい位置調整を可能にするために、支持脚４の長手方向に沿って所定の間隔で複数設けられてもよい。ただし、係止溝２０は、支持脚４に対するステップ６のスムーズな相対移動を妨げない態様で支持脚４に設けられることが重要である。そのため、この変形例では、前述したように円形断面の支持脚４に対して円筒形状の保持体６Ａが嵌合することに加え、支持脚４に対するステップ６のスムーズな相対移動を妨げないように係止溝２０の寸法が設定されている。具体的には、例えば、係止溝２０は、保持体６Ａと支持脚４とが嵌合した状態で、図７の（ｂ）に示されるように第２の保持半体１０の円弧断面の両端側まで延在せず、保持体６Ａ（第２の保持半体１０）と対向する支持脚４の外周面対向領域の一部（略中央部）にわたってのみ形成され、それにより、第２の保持半体１０が安定した十分な嵌合（接触）面積（したがって、ガタつかないスムーズな相対移動）を支持脚４との間で確保できるようにしている。
【００３０】
このような係止溝２０を支持脚４の外周面に設ければ、図６の（ｃ）に示されるように保持体６Ａの係止端部５０が支持脚４と係止する際に、係止端部５０が係止溝２０に食い込むことができるため、支持脚４に対する保持体６Ａ（ステップ６）の固定力が更に増大され、支持脚４に対する保持体６Ａの移動が確実に阻止される。
【００３１】
以上、本発明の実施形態について説明したが、本発明は、前述した実施形態に限定されず、その要旨を逸脱しない範囲で種々変形することが可能である。例えば、前述した実施形態では、保持体が２つの保持半体により構成されているが、保持体の形態はこれに限定されず、任意の形態をとることができる。また、前述した実施形態では、足載置台を介して付勢手段の付勢力に抗する外力が作用されると、保持体が傾動して保持体の下側周縁部が支持脚に係止されるが、支持脚に係止される保持体の部位は下側周縁部に限らない。また、前述した実施形態では、保持半体同士を締結する締結部材が螺軸とナットとにより構成されるが、締結部材はそのような形態に限定されない。また、前述した実施形態において、支持脚は断面が円形であったが、支持脚の断面は矩形等の他の形状を成していても構わない。
【符号の説明】
【００３２】
１  釣台
２  着座部
４  支持脚
６  ステップ
６Ａ  保持体
６Ｂ  足載置台
８，１０  保持半体
１２  ナット（締結部材）
１４  螺軸（締結部材）
１８，１８’  付勢手段（圧縮バネ）
２０  係止溝
３０  隙間
５０  係止端部
【図１】
2018161062.tif 000003
【図２】
2018161062.tif 000004
【図３】
2018161062.tif 000005
【図４】
2018161062.tif 000006
【図５】
2018161062.tif 000007
【図６】
2018161062.tif 000008
【図７】
2018161062.tif 000009